(57)【特許請求の範囲】
【請求項１】
雌型部材及び該雌型部材に挿入連結される雄型部材からなる管継手において、
雌型部材及び雄型部材が、連結されたときに、相互連通される該雌型部材の流体通路及び該雄型部材の流体通路における接続部分の周囲において、該流体通路の軸線方向で相互に当接する環状の当接面を有し、
該当接面の一方が、該流体通路の軸線方向でテーパのつけられたテーパ面とされ、他方が該テーパ面に該軸線方向で押圧されることにより、該当接面間の密封をはかるようにされており、
雌型部材が、雄型部材を受け入れる雄型部材受入部を備える筒状の雌型本体を有し、
該雄型部材受入部には雌型側開閉弁が設けられ、
該雌型側開閉弁は、
雄型部材受入部の半径方向中央部分に位置する静止弁部材と、
該静止弁部材と雄型部材受入部の内周面との間に形成される環状の流体通路部分を密閉するように設けられ、挿入されてくる雄型部材の先端部分によって押込まれ、雌型本体内を後方へ摺動して該環状流体通路を開放する可動弁部材と
を有し、
該可動弁部材と該雄型部材の先端部分とが該当接面を有し、
該雌型本体の内周面には、該雄型部材の先端部分の該当接面が該可動弁部材の該当接面に押圧されて、該当接面間の密封が行われるときに、該可動弁部材に係合して、該可動弁部材が更に押込まれるのを阻止する係止部を有し、
雄型部材及び雌型本体を相互に引付けて該当接面間の押圧力を増大する押圧手段を備えること
を特徴とする管継手。
【請求項２】
前記係止部が流体通路を囲む環状面を有し、可動弁部材が該係止部に係合する環状面を有し、一方の環状面が軸線方向でテーパがつけられテーパ面とされ、雄型部材が雌型本体に挿入連結される際に、他方の環状面が該テーパ面に押圧されて両環状面間の密封をはかるようにされている請求項１に記載の管継手」
【請求項３】
前記押圧手段が、雌型部材及び雄型部材の一方の外周面の周りに設けられ、該外周面から半径方向外側に間隔をあけた内周面と、該内周面に設けられたメネジとを有し、該外周面上で回転可能とされた筒状メネジ部材と、雌型部材及び雄型部材の他方の外周面に設けられて該筒状メネジ部材のメネジとネジ係合されるオネジとからなることを特徴とする請求項１又は２に記載の管継手。」
【発明の詳細な説明】
【技術分野】
【０００１】
本発明は管継手に係り、特に、冷凍冷蔵器などにおける冷媒を扱うのに適した管継手に関する。
【背景技術】
【０００２】
冷凍冷蔵器などで従来から使用されてきた冷媒としてのフロンは、環境問題から、二酸化炭素などによって取って代わられるようになってきている。冷媒としての二酸化炭素は、フロンに比べて高温高圧となるため、冷却システム中の管継手で使用されているゴムシールが膨潤してしまいシール機能の低下を来たしやすい。
【０００３】
すなわち、従来から冷却システムで使用されている管継手は、通常、雄型継手及び雌型継手が連結されると、それらに装着されている弁が相互に押し込められて、それぞれの流路が連通されるようになっており、連通された状態において冷媒が外部に漏れないように、該流路を取り囲む位置にある雄型継手及び雌型継手の当接部分間にゴム製シールリングが配置されるようになっている（特許文献１）。このため、該シールリングは冷媒としての二酸化炭素に晒され、膨潤してシール機能が低下しやすい。
【０００４】
【特許文献１】実開平７−１２６９４号
【発明の開示】
【発明が解決しようとする課題】
【０００５】
本発明は、このような冷却システムなどにおいて、冷媒によるシール機能の低下の影響を受けない管継手を提供することを目的とするものである。
【課題を解決するための手段】
【０００６】
すなわち、本発明は、
雌型部材及び該雌型部材に挿入連結される雄型部材からなる管継手において、
雌型部材及び雄型部材が、連結されたときに、相互連通される該雌型部材の流体通路及び該雄型部材の流体通路における接続部分の周囲において、該流体通路の軸線方向で相互に当接する環状の当接面を有し、
該当接面の一方が、該流体通路の軸線方向でテーパのつけられたテーパ面とされ、他方が該テーパ面に該軸線方向で押圧されることにより、該当接面間の密封をはかるようにされていることを特徴とする管継手
を提供する。
この管継手によれば、雌型部材と雄型部材とが連結された際に、それぞれの流体通路の接続部分の周囲における当接面が、テーパ面とそれに押し付けられる面として形成されているので、両当接面を強く当接させることができ、このため、それらの間に、ゴム製シールリングを設定することなしに、面間の密封を図ることを可能とする。
【０００７】
具体的には、
雌型部材が、雄型部材を受け入れる雄型部材受入部を備える筒状の雌型本体を有し、
該雄型部材受入部には雌型側開閉弁が設けられ、
該雌型側開閉弁は、
雄型部材受入部の半径方向中央部分に位置する静止弁部材と、
該静止弁部材と雄型部材受入部の内周面との間に形成される環状の流体通路部分を密閉するように設けられ、挿入されてくる雄型部材の先端部分によって押込まれ、雌型部材内を後方へ摺動して該環状流体通路を開放する可動弁部材と
を有し、
該可動弁部材と該雄型部材の先端部分とが該当接面を有するようにすることができる。
【０００８】
この場合、該雌型本体の内周面には、該雄型側筒状部材の該当接面が該雌型側筒状部材の該当接面に押圧されて、該当接面間の密封が図られるときに、該可動弁部材に係合して、該可動弁部材が更に押込まれるのを阻止する係止部を設けることが好ましい。上記当接面間での押圧をしやすくするためである。  
【０００９】
また、係止部が流体通路を囲む環状面を有し、可動弁部材が該係止部に係合する環状面を有し、一方の環状面が軸線方向でテーパがつけられテーパ面とされ、雄型部材が雌型部材に挿入連結される際に、他方の環状面が該テーパ面に押圧されて両環状面間の密封をはかるようにすることもできる。
【００１０】
更に、雄型部材を雌型部材に挿入した状態の雄型部材及び雌型部材を相互に引付けて前記当接面間の押圧力を増大する押圧手段を備えるようにすることが好ましい。具体的には、押圧手段が、雌型部材及び雄型部材の一方の外周面の周りに設けられ、該外周面から半径方向外側に間隔をあけた内周面と、該内周面に設けられたメネジとを有し、該外周面上で回転可能とされた筒状メネジ部材と、雌型部材及び雄型部材の他方の外周面に設けられて該筒状メネジ部材のメネジとネジ係合されるオネジとから構成することが出来る。
【発明の効果】
【００１１】
本発明に係る管継手では、連結された状態での雌型部材及び雄型部材間の密封を図るために一般的に用いられるゴム製シールリングなしに密封を可能とする。従って、二酸化炭素を冷媒とする冷凍冷蔵庫などに冷媒システムに用いても、ゴム製シールリングなどを用いた場合のような該シールリングの膨潤による密封不良を回避することが出来る。
【発明を実施するための最良の形態】
【００１２】
以下、本発明に係る管継手の実施形態を添付図面に基づき説明する。
【００１３】
図示のように、本発明に係る管継手１０は、雌型部材１２と該雌型に挿入連結される雄型部材１４とを有する。
【００１４】
雌型部材１２は、雄型部材１４を受け入れる雄型部材受入部１６を備える筒状の雌型本体１８を有し、該雄型部材受入部１６には雌型側開閉弁２０が設けられている。図中１９は、雌型本体１８の後端にネジ結合されたアダプタであり、図示しない導管に接続される。
【００１５】
該雌型側開閉弁２０は、雄型部材受入部１６の半径方向中央部分に位置する静止弁部材２２と、該静止弁部材２２と雄型部材受入部１６の内周面との間に形成される環状の流体通路部分２４を密閉するように設けられ、挿入されてくる雄型部材１４の先端部分によって押込まれ、雌型部材１６内を後方へ摺動して環状流体通路部分２４を開放する可動弁部材２６とを有している。
【００１６】
静止弁部材２２は、雌型本体１８の軸線方向に沿って延びるステム２３を備える。該ステムはその前端部分に外周面が段状にされた円盤状ヘッド２５を有し、該ヘッド２５に４フッ化樹脂（テフロン（登録商標））製のシールリング３２が設定されている。ステム２３の外周面にはシールリング３２を固定するための筒状固定部材２７と、その後端側に設けられたスパイダー部材（すなわち、ステムの外周面上に位置する環状部材に周方向で間隔をあけて設けられ、それぞれ、半径方向で雌型本体１８の内周面にまで延びている複数の部材を有する支持部材）３０とが嵌合され、ステム２３の後端部分に形成されたオネジにネジ係合されるナット２９によって円盤状ヘッド２５との間に固定されている。
【００１７】
可動弁部材２６は、全体として筒状とされており、圧縮バネ３４によって前方に付勢されており、図１に示すように、雌型部材が雄型部材から分離されているときには、静止弁部材のシールリング３２に密封係合されている。図中、３６，３８はシールリングを示し、４０は後述するロッキングボールを示す。
【００１８】
雄型部材１４は、筒状の雄型本体４２を有しており、その後端にはアダプタ４４がネジ係合されている。雄型本体４２の内部には、開閉弁４６が該雄型本体の軸線方向で摺動可能に設けられており、図１に示すように当該雄型部材１４が雌型部材１２から分離されているときには、圧縮バネ５０によって該雄型本体の前端開口を閉止するようになされている。図中５１は、該開閉弁４６の先端に取り付けられた４フッ化樹脂（テフロン(登録商標)）製シール部材である。該雄型本体４２の外周面上には、筒状メネジ部材５２が回動可能に取り付けられており、後述するように、雌型本体１８の外周面上に形成されているオネジ５４とネジ係合されるようになっている。図中５６はストップリングを示す。
【００１９】
雌型部材１２と雄型部材１４とを連結する場合には、雄型本体４２をその先端から雌型本体１８の雄型部材受入部１６内に挿入し、筒状メネジ部材５２を雌型本体外周面上のオネジ５４にネジ係合して、雄型本体４２を図１に示す連結位置まで雄型部材受入部１６内に挿入する。これにより、雌型部材１２の可動弁部材２６は、雄型本体４２の先端面によって、雌型本体１８内を後方へ摺動され、該雌型本体１８の前端部にある環状流体通路部分２４が開放され、雌型部材の流体通路５８と雄型部材の流体通路６０とが連通される。また、可動弁部材２６に設けられているロッキングボール４０は、雄型本体４２の外周面に形成されている環状嵌合凹部６４に嵌合されており、図１に示す結合位置においては、該ロッキングボール４０は、雌型本体１８の内周面により嵌合凹部６４内に押圧されている。
【００２０】
図２に示すように、雌型部材１２と雄型部材１４とが連結された状態においては、可動弁部材２６が雌型本体１８の内周面に形成された段状の環状係止部６６に係合して、更に後方へ動くのを阻止されている。また雄型本体４２の先端部６８の外周面６８−１は可動弁部材２６の内周面に形成されたテーパ面７０に押圧係合されている。すなわち、該テーパ面７０は、環状で雌型部材１２の後方に向ってテーパがつけられ（すなわち、先細りとされ）ており、雄型本体４２の先端部６８の外周面６８−１は、筒状メネジ部材５２をオネジ５４にねじ込むことにより、該先端部６８がテーパ面７０の楔作用により該テーパ面に強く押圧され、該テーパ面７０と該先端部外周面６８−１との間の密封が図られるようにしている。テーパの角度としては、約１０°〜３０°とするのが好ましい。また、この密封をより効果的に行うために、テーパ面７０と雄型本体の先端部６８の外周６８−１面とは、その表面仕上げを通常の管継手の部品のものよりも高度のものとし、好ましくはＲａ１．６以上のものとし、必要に応じ、鏡面仕上げとする。
【００２１】
可動弁部材２６の後端部も同様のテーパ面２６−１が設けられており、雌型本体の内周面に形成された段状の環状係止部６６が該テーパ面に強く押圧されて、それらの間の密封が図られるようになっている。
【００２２】
以上、本発明に係る管継手の実施形態につき説明したが、本発明はこれに限定されるものではなく、例えば、筒状メネジ部材５２とオネジ５４からなり、テーパ面７０に対する雄型本体４２の先端部６８の外周面６８−１の押圧力を高めるための押圧手段は、レバーを用いたトグル機構などを用いることができる。
【図面の簡単な説明】
【００２３】
【図１】本発明に係る管継手の雌型部材及び雄型部材がそれぞれ分離されている状態を示す上半部分を断面で示した側面図である。
【図２】同雌型部材及び雄型部材が連結された状態の上半部分を断面で示した側面図である。
【符号の説明】
【００２４】
管継手                １０
雌型部材              １２
雄型部材              １４
雄型部材受入部        １６
雌型本体              １８
アダプタ              １９
雌型側開閉弁          ２０
静止弁部材            ２２
流体通路部分          ２４
可動弁部材            ２６
テーパ面              ２６−１（環状面）
スパイダー部材        ３０
シールリング          ３２
圧縮バネ              ３４
シールリング          ３６，３８
ロッキングボール      ４０
雄型本体              ４２
アダプタ              ４４
開閉弁                ４６
圧縮バネ              ５０
ゴム製シール部材      ５１
筒状メネジ部材        ５２
オネジ                ５４
ストップリング        ５６
流体通路              ５８
流体通路              ６０
嵌合凹部              ６４
環状係止部            ６６（環状面を有する）
先端部                ６８
外周面                ６８−１（当接面）
テーパ面              ７０（当接面）
【図１】
0004436298.tif 000002
【図２】
0004436298.tif 000003